(57)【要約】      （修正有）【課題】被介護者に肉体的・精神的に大きな負担を与えることなくおむつ交換等の排泄処理用作業を行うことができる排泄処理用介助装置を提供する。【解決手段】寝床２０の両側部に立設された一対の支柱１、１と、その上面側に横設状態で配置され且つ両端部１０ｂ、１０ｂ側が上記支柱１、１に固定された支持バンド１０を備える。係る構成によれば、支持バンド１０を被介護者の腰部近傍に敷き込んだ状態で該支持バンド１０と寝床２０の上下方向の相対間隔を拡大させることで該支持バンド１０によって被介護者の腰部近傍を支持して臀部を寝床２０の上面から極自然な体勢で浮上させることができ、被介護者に与える身体的負担が少なく且つより安静な状態での排泄処理作業が可能となる。【選択図】図２
2009136358.tif 000002
【特許請求の範囲】
【請求項１】
寝床（２０）上に仰臥した被介護者（４０）のおむつ交換等の排泄処理作業を介助する排泄処理用介助装置であって、
上記寝床（２０）の両側部に対向状態で立設された一対の支柱（１）、（１）と、
上記寝床（２０）の上面側に横設状態で配置されるとともにその両端部（１０ｂ）、（１０ｂ）側がそれぞれ上記一対の支柱（１）、（１）に固定された支持バンド（１０）を備え、
上記支持バンド（１０）を被介護者（４０）の腰部（４２）近傍に敷き込んだ状態で該支持バンド（１０）と上記寝床（２０）の上下方向の相対間隔を拡大させることで該支持バンド（１０）によって被介護者（４０）の腰部（４２）近傍を支持して臀部（４３）を上記寝床（２０）の上面から浮上させ得るように構成されたことを特徴とする排泄処理用介助装置。
【請求項２】
請求項１において、
上記寝床（２０）が昇降機能を備えたベッド（２０）であって、該ベッド（２０）の降下動作に伴って被介護者（４０）の臀部（４３）が上記ベッド（２０）から浮上されるように構成されたことを特徴とする排泄処理用介助装置。
【請求項３】
請求項１において、
上記一対の支柱（１）、（１）が伸縮機能を備え、該一対の支柱（１）、（１）の伸長動作伴って被介護者（４０）の臀部（４３）が上記寝床（２０）から浮上されるように構成されたことを特徴とする排泄処理用介助装置。
【請求項４】
請求項１、２又は３において、
上記一対の支柱（１）、（１）の上端部に、略水平面に沿って回動可能にアーム（４）がそれぞれ取付けられるとともに、
該アーム４は、上記一対の支柱（１）、（１）の対向方向内側へ延出した第１回動位置では上記支持バンド（１０）の両端部（１０ｂ）、（１０ｂ）をその下面側から支持する一方、上記対向方向に略直交する方向に延出した第２回動位置では上記寝床（２０）の側部に格納されることを特徴とする排泄処理用介助装置。
【発明の詳細な説明】
【技術分野】
【０００１】
本願発明は、例えば、寝たきり老人等のおむつ交換とか洗浄等の排泄処理作業において、臀部の浮上を介助して介護者の労力軽減を図るための排泄処理用介助装置に関するものである。
【背景技術】
【０００２】
老人社会の到来につれて、完全介護を必要とする寝たきり老人の数も確実に増え続けているが、このような寝たきり老人の介護に際しては、排泄処理が最も重要であり、介護者の負担を軽減させる観点から、おむつの着用が普及している。
【０００３】
しかし、おむつの着用によって、排泄処理の容易さ及び処理回数の減少によって介護者の負担は軽減されるものの、おむつ交換等の排泄処理作業に際しての介護者の労力は依然として大きい。
【０００４】
即ち、排泄処理作業に際しては、寝床上に仰臥している被介護者の臀部を持ち上げた状態でおむつを取り外し、排便等の拭き取り及び洗浄処理をした上で、新しいおむつを着用させることから、被介護者の臀部の持ち上げ時間が長く、その間の介護者の労力は大きなものとなる。
【０００５】
係る事情に鑑み、おむつ交換時の介護者の労力軽減するための手段が多く提案されている。例えば、特許文献１とか特許文献２に示されるように、器具をもちいて被介護者の膝裏部分を支持して下肢全体を引き上げることで臀部を床面から浮上させるものとか、特許文献３に示されるように、ベッドをその上方側で跨いで門形のフレームを設置し、上方側に向けて鉤状に湾曲する一対のフックを、上記フレーム側から吊り下げ、この一対のフックを被介護者の膝裏に掛止して下肢を引き上げることで臀部を床面から浮上させるもの、さらには特許文献４に示されるように、コ字形のフレームの中央部に支持ロールが設けられた支持具を、昇降ベッドの上側を跨いで設置し、且つその両端を中心として前後方向に傾動自在に取付け、上記支持体を被介護者の膝裏にセットした状態で上記昇降ベッドを降下させることで、膝裏を上記フレームによって突き上げて下肢を持ち上げて臀部をベッドから浮上させるもの、等が提案されている。
【特許文献２】特開２００１−２９３０２３号公報
【特許文献２】特開２００３−７０８１９号公報
【特許文献３】実開平６−４６７２４号公報
【特許文献４】特開平１１−１９２２７１号公報
【発明の開示】
【発明が解決しようとする課題】
【０００６】
ところが、これら各特許文献に示されたものは、何れも被介護者の膝裏を支持して下肢を持ち上げることで臀部を浮上させる構成であるところ、通常、寝たきり老人は下肢の筋肉が衰えており、膝を屈曲状態で保持する力がなく、また屈曲状態で保持しようとする意思も無いことが多く、従って、単に膝裏を支持してこれを持ち上げても、膝が伸びて支持状態を維持することができない、という事態が想定される。また、下肢を持ち上げて臀部を引き上げ状態で浮上させることから、被介護者の下肢部分の掛かる負担が大きく、安静状態での排泄処理作業の実現は不可能に近いものである。
【０００７】
そこで本願発明は、被介護者に肉体的及び精神的に大きな負担を与えることなくおむつ交換等の等の排泄処理作業を容易に行うことができるようにした等の排泄処理介助装置を提供することを目的としてなされたものである。
【課題を解決するための手段】
【０００８】
本願発明では、上記課題を解決するために以下のような構成を採用している。
【０００９】
本願の第１の発明では、寝床２０上に仰臥した被介護者４０のおむつ交換等の排泄処理作業を介助する排泄処理用介助装置において、上記寝床２０の両側部に対向状態で立設された一対の支柱１、１と、上記寝床２０の上面側に横設状態で配置されるとともにその両端部１０ｂ、１０ｂ側がそれぞれ上記一対の支柱１、１に固定された支持バンド１０を備え、上記支持バンド１０を被介護者４０の腰部４２近傍に敷き込んだ状態で該支持バンド１０と上記寝床２０の上下方向の相対間隔を拡大させることで該支持バンド１０によって被介護者４０の腰部４２近傍を支持して臀部４３を上記寝床２０の上面から浮上させ得るように構成したことを特徴としている。
【００１０】
本願の第２の発明では、上記第１の発明に係る排泄処理用介助装置において、上記寝床２０が昇降機能を備えたベッド２０であって、該ベッド２０の降下動作に伴って被介護者４０の臀部４３が上記ベッド２０から浮上されるように構成したことを特徴としている。
【００１１】
本願の第３の発明では、上記第１の発明に係る排泄処理用介助装置において、上記一対の支柱１、１が伸縮機能を備え、該一対の支柱１、１の伸長動作伴って被介護者４０の臀部４３が上記寝床２０から浮上されるように構成したことを特徴としている。
【００１２】
本願第４の発明では、上記第１、第２又は第３の発明に係る排泄処理用介助装置において、上記一対の支柱１、１の上端部に、略水平面に沿って回動可能にアーム４をそれぞれ取付けるとともに、該アーム４は、上記一対の支柱１、１の対向方向内側へ延出した第１回動位置では上記支持バンド１０の両端部１０ｂ、１０ｂをその下面側から支持する一方、上記対向方向に略直交する方向に延出した第２回動位置では上記寝床２０の側部に格納されることを特徴としている。
【発明の効果】
【００１３】
本願発明では次のような効果が得られる。
（ａ）本願の第１の発明に係る排泄処理用介助装置によれば、上記支持バンド１０を被介護者４０の腰部４２近傍に敷き込んだ状態で該支持バンド１０と上記寝床２０の上下方向の相対間隔を拡大させることで該支持バンド１０によって被介護者４０の腰部４２近傍を支持して臀部４３を上記寝床２０の上面から浮上させるものであることから、被介護者４０の臀部４３は、その腰部４２の持ち上げに伴って極自然な体勢で寝床２０から浮上され、例えば、従来のように被介護者の膝裏を支持して下肢を持ち上げることでその臀部を浮上させる構成に比して、被介護者４０に与える身体的負担が少なく、より安静な状態でのおむつ交換が可能となる。
【００１４】
また、上記支持バンド１０によって被介護者４０の腰部４２近傍を支持するものであって、被介護者４０自身の意思及び力で下肢４４を屈曲させて保持する必要が全くなく、例えば、下肢の筋肉の衰えた被介護者４０であっても、これに何等の影響を受けることなく、被介護者４０の臀部４３が浮上されることから、被介護者４０に殆ど身体的負担を掛けることなく且つ安定した臀部浮上状態の下で、おむつ交換及びこれに付随する洗浄等の排泄処理作業を行うことができる。
（ｂ）本願の第２の発明に係る排泄処理用介助装置よれば、上記（ａ）に記載の効果に加えて以下のような特有の効果が得られる。即ち、この発明では、上記寝床２０が昇降機能を備えたベッド２０であって、該ベッド２０の降下動作に伴って被介護者４０の臀部４３が上記ベッド２０から浮上される、換言すれば、被介護者４０の臀部４３の浮上作用が上記ベッド２０側に備えられた機能の活用によって実現されるため、介助装置側に格別の駆動機構を備える必要がなく、それだけ介助装置の構造の簡略化及び低コスト化が図れる。また、軽量化が図れることで、特に介助装置をレンタルする場合においては、その可搬性が高く、延いては商品価値の向上が期待できる。
（ｃ）本願の第３の発明に係る排泄処理用介助装置よれば、上記（ａ）に記載の効果に加えて以下のような特有の効果が得られる。即ち、この発明では、上記一対の支柱１、１が伸縮機能を備え、該一対の支柱１、１の伸長動作伴って被介護者４０の臀部４３が上記寝床２０から浮上されるように構成しているので、例えば、上記寝床２０が昇降機能を備えないベッドとか、畳床に直敷きされた布団であっても、上記支柱１、１の伸長動作によって被介護者４０の臀部４３を浮上させることができ、それだけ介助装置の汎用性が向上する。
（ｄ）本願の第４の発明に係る排泄処理用介助装置よれば、上記（ａ）、（ｂ）又は（ｃ）に記載の効果に加えて以下のような特有の効果が得られる。即ち、この発明によれば、上記各アーム４、４を第１回動位置に設定し、該各アーム４、４によって上記支持バンド１０の両端部１０ｂ、１０ｂをその下面側から支持した状態で、上記支持バンド１０によって被介護者４０の腰部４２部分を支えた場合には、例えば、上記支柱１部分に直接上記支持バンド１０の両端部１０ｂ、１０ｂを固定して被介護者４０の腰部４２部分を支えた場合に比して、該支持バンド１０の張設角度が大きくなり、上記被介護者４０からの荷重によって上記支持バンド１０に掛かる張力のうち、水平分力が小さくなり、上記支柱１に働く曲げモーメントが減少することから、該支柱１の強度性能を低く設定してその計量化及び低コスト化が図ることができる。
【００１５】
また、上記アーム４を第２回動位置に設定した状態では、上記寝床２０の側部に格納されることから、おむつ交換等の排泄処理以外の介護作業時において上記アーム４が邪魔になるということがなく、介護作業全般を通して良好な作業性が確保される。
【発明を実施するための最良の形態】
【００１６】
以下、本願発明を好適な実施形態に基づいて具体的に説明する。
【００１７】
図１には、本願発明に係る排泄処理用の介助装置Ｚを示している。
【００１８】
Ａ：介助装置Ｚの具体的構成
上記介助装置Ｚは、後述するように昇降機能をもとベッド２０に適用されるに好適な装置であって、次述する支柱１と移動台２と連結材３とアーム４、及び支持バンド１０を備えて構成される。
【００１９】
上記支柱１は、角管でなる固定柱１Ａと、同じく角管でなり上記固定柱１Ａ内に長さ調整可能に内挿された可動柱１Ｂで構成され、図示しない固定具によって所要の長さで固定保持し得るようになっている。また、この支柱１は、上記固定柱１Ａの下端の移動台２が固定されることで、該移動台２と一体的に移動可能とされる。
【００２０】
上記移動台２は、所定長さの直材で構成され、その軸方向両端部の下面側にはキャスタ部２ａが備えられている。そして、この移動台２の軸方向中央部の上面側に、上記支柱１の固定材３Ａの下端が直交立設状態で固定されている。
【００２１】
また、上記支柱１の上記可動柱１Ｂの上端には、上下方向に延びる枢支軸５を介してアーム４が取付けられている。このアーム４は、平角管で構成される基端側アーム４Ａと、同じく平角管で構成され且つ上記基端側アーム４Ａ内に長さ調整可能に内挿された先端側アーム４Ｂを備えて構成されるとともに、上記先端側アーム４Ｂの先端には、巻掛部４Ｃ１とその両端に位置する一対の鍔部４Ｃ２でなるガイド部４Ｃが設けられている。
【００２２】
このアーム４は、上記枢支軸５を回動中心として略水平面内で、図１に実線図示する第１回動位置と鎖線図示する第２回動位置の間で回動可能とされるとともに、該各回動位置のそれぞれにおいて図示しない固定具によって位置固定可能とされている。なお、上記アーム４の第１回動位置は、該アーム４が上記移動台２の軸方向に直交する方向へ延出する位置とされ、上記第２回動位置は、該アーム４が上記移動台２の軸方向に略平行方向へ延出する位置とされている。
【００２３】
さらに、上記支柱１の上記可動柱１Ｂ部分には、支持ブラケット６が取付けられている。この支持ブラケット６は、上記可動柱１Ｂに相対摺動可能に外嵌されたスライダ６Ａと、該スライダ６Ａの一側に固定された嵌合体６Ｂで構成される。この嵌合体６Ｂは、板材を断面コ形に折曲して構成され、その開口側を下方側（上記移動台２側）へ向けた状態で、上記スライダ６Ａに固定されている。
【００２４】
なお、上記嵌合体６Ｂの開口幅は、後述するベッド２０の昇降台２２に設けられた側縁材２５（図２参照）に嵌合し得る寸法に設定されるとともに、上記嵌合体６Ｂの上記スライダ６Ａ寄りの壁面には、該嵌合体６Ｂを上記側縁材２５に固定するための固定ボルト７が取付けられている。そして、この支持ブラケット６は、上記嵌合体６Ｂが上記アーム４の第１回動位置側に位置するようにその取付位置が設定されている。
【００２５】
以上のように、上記支柱１に対して上記移動台２と上記アーム４及び上記支持ブラケット６を取付けることで支柱ユニットＵが構成される。そして、この支柱ユニットＵは、二基用意されるが、これら二基の支柱ユニットＵ、Ｕにおいては、上記アーム４の第２回動位置が反対方向に設定されている。そして、この二基の支柱ユニットＵ、Ｕは、次述の連結材３によって対向状態で連結一体化される。
【００２６】
上記連結材３は、各支柱ユニットＵ、Ｕの移動台２に、上記アーム４の第１回動位置と同方向へ延出するようにして固定された固定材３Ａと、該各固定材３Ａ、３Ａ内にそれぞれ内挿される可動材３Ｂで構成される。そして、上記連結材３は、上記可動材３Ｂと上記各固定材３Ａ，３Ａの相対挿入量を調整することでその長さ調整が行われるとともに、図示しない固定具によって所要長さにおいて固定保持されるようになっている。
【００２７】
従って、上記一対の支柱ユニットＵ、Ｕは上記連結材３によって対向状態で連結されるが、その場合、これら各支柱ユニットＵ、Ｕの対向間隔は、上記連結材３の長さ調整によって増減調整される。なお、この対向間隔は、後述のように、上記介助装置Ｚが適用されるベッド２０の形状寸法に対応して適宜設定される。
【００２８】
上記支持バンド１０は、適度の弾性と引張強度を備えた素材、例えば皮材あるいは布材で構成されるものであって、図１に示すように、広幅で所定長さ（具体的には、被介護者４０の体幅より所定寸法だけ大きい寸法）をもつ本体部１０ａと、該本体部１０ａの長手方向両端に連続して延出する左右一対の張設部１０ｂ、１０ｂを備えて構成される。この各張設部１０ｂ、１０ｂの端部の裏面側には、それぞれ着脱自在の貼結テープ９が設けられている。
【００２９】
また、この支持バンド１０側の貼結テープ９に関連して、上記各支柱ユニットＵ、Ｕの各支柱１においても、上記可動柱１Ｂの上端寄りの外側面には、貼結テープ８がそれぞれも受けられている。そして、上記支持バンド１０は、図２に示すように、上記各張設部１０ｂ、１０ｂの端部の貼結テープ９を上記各支柱１、１側の各貼結テープ８に貼結させることで、該各支柱１、１間に跨って着脱自在に取付けられる。
【００３０】
なお、この実施形態では上述のように上記貼結テープ８，９によって上記支持バンド１０を上記支柱１側に着脱自在に固定するように構成しているが、他の実施形態では、貼結テープに代えて、例えば、フック式、ネジ止式等の構成を採用することもできる。
【００３１】
Ｂ：介助装置Ｚの使用状態等の説明
Ｂ−１：介助装置Ｚのベッド２０への装着
上記介助装置Ｚは、図２に示すように、ベッド２０に装着して使用される。
【００３２】
上記ベッド２０は、脚２４によって床面上に載置される基台２１と図示しない昇降機構３０を介して上記基台２１に対して昇降駆動される昇降台２２を備えた昇降式ベッドであって、必要に応じて上記昇降台２２の高さ調整を行って使用される。また、上記昇降台２２上にはマットレス２３が載置され、このマットレス２３上に被介護者４０が横たえられる。さらに、上記昇降台２２の長手方向両端には、それぞれ前端板２６と後端板２７が備えられるとともに、その側面には側縁材２５が取付けられている。
【００３３】
上記ベッド２０に対する上記介助装置Ｚの装着は次のようにして行われる。
【００３４】
先ず、上記昇降機構３０を作動させて上記ベッド２０を所定高さに設定する。一方、上記介助装置Ｚにおいては、上記支持バンド１０を取り外した状態で、上記連結材３による連結を解除し、上記各支柱ユニットＵ、Ｕを分離させる。そして、分離された各支柱ユニットＵ、Ｕを、該各支柱ユニットＵ、Ｕのそれぞれに取付けられた上記固定材３Ａを上記ベッド２０の基台２１の下側から内部側へ向けて進入させながら、上記各支柱１、１を上記ベッド２０の側部に近接対向させてセットする。
【００３５】
これら各支柱ユニットＵ、Ｕの上記ベッド２０へのセット状態において、該各支柱ユニットＵ、Ｕ側の上記支持ブラケット６を、上記支柱１に沿って摺動させて高さ調整を行いながら、上記ベッド２０の側縁材２５に対してその上側から嵌合させ、且つ上記固定ボルト７によって固定する。
【００３６】
この場合、上記固定柱１Ａに対する上記可動柱１Ｂの引出量を調整することで、上記支柱１の長さ、即ち、高さを上記ベッド２０の高さに対応させることができる。なお、この支柱１の高さ調整は、図３に示すように、上記ベッド２０の昇降台２２の上限位置若しくは通常使用時における最大高さ位置において、上記マットレス２３の上面高さと上記アーム４の上面高さが略同等となるように設定する。
【００３７】
さらに、上記各支柱ユニットＵ、Ｕ側の上記固定材３Ａ同士を、上記可動材３Ｂを介して連結し、且つこれを固定具によって固定保持させる。この場合、上記連結材３の長さ調整により、上記介助装置Ｚを幅寸法の異なる多種のベッド２０に装着することが可能とされる。
【００３８】
なお、上記介助装置Ｚの上記ベッド２０への装着に際しては、該介助装置Ｚに設けられる上記支持バンド１０の上記ベッド２０に対する横設位置が、該ベッド２０上で仰臥する被介護者４０の腰部４２、望ましくは臀部４３寄りの腰部４２の位置に対応するように、上記介助装置Ｚの上記ベッド２０の長手方向に対する装着位置を設定する。
【００３９】
以上で、上記介助装置Ｚの上記ベッド２０への装着が完了する。
【００４０】
Ｂ−２：上記介助装置Ｚの待機状態（図２〜図４参照）
上記介助装置Ｚの待機状態とは、該介助装置Ｚを上記ベッド２０に装着したまま、該ベッド２０の通常の使用を可能とし、これ以後に行われる予定のおむつ交換等の排泄処理作業に備えて待機させた状態である。
【００４１】
上記介助装置Ｚの待機状態においては、図２に示すように、上記各支柱１、１の上端に設けられた上記各アーム４，４をそれぞれ第２の回動位置に設定し、これを上記ベッド２０上から側方へ後退させて保持する。さらに、上記支持バンド１０を配置する。この支持バンド１０の配置方法としては、例えば、上記各支柱１、１側から取り外してそのまま上記ベッド２０のマットレス２３上に載置して該支持バンド１０上への被介護者４０の仰臥を許容させる方法と、図２〜図４に示すように、上記支持バンド１０を上記ベッド２０のマットレス２３上に載置するものの、その各張設部１０ｂ、１０ｂの端部を上記各支柱１、１の上端側に固定したままとし、この状態で上記支持バンド１０上への被介護者４０の仰臥を許容させる方法が考えられる。なお、後者の方法では、上記支持バンド１０を、被介護者４０の仰臥によって該支持バンド１０に張力が掛からないように弛ませた状態に取付ける。
【００４２】
この介助装置Ｚの待機状態において、上記ベッド２０のマットレス２３上に被介護者４０が仰臥した状態を図３及び図４に示している。この仰臥状態においては、上記支持バンド１０が被介護者４０の腰部４２近傍の下側に敷き込まれているため、該支持バンド１０によって被介護者４０の動きが制約されるようなことは無い。また、上記アーム４が第２の回動位置に設定され、上記ベッド２０の側部に後退していることから、該アーム４が上記ベッド２０上での介護作業の邪魔になるということもない。なお、上記ベッド２０上で仰臥して休んでいる被介護者４０は、おむつを着用している。
【００４３】
Ｂ−３：上記介助装置Ｚの準備状態（図５〜図７参照）
上記介助装置Ｚの準備状態とは、上記ベッド２０上に仰臥している被介護者４０に対するおむつ交換、洗浄等の排泄処理作業の準備が完了した状態である。
【００４４】
上記介助装置Ｚの準備状態では、図５に示すように、上記各支柱１，１の上記各アーム４、４の位置を、第２の回動位置から第１の回動位置へ変更設定し、該各アーム４，４を上記支持バンド１０の張設部１０ｂの下側へ潜り込ませてこれを下側から支持させる。この状態においては、図６及び図７に示すように、上記被介護者４０をその両側から挟んで対向配置された上記各アーム４、４の先端のガイド部４Ｃから延びる上記支持バンド１０の本体部１０ａによって、被介護者４０の腰部が下側から保持される状態となっている。但し、この状態では、上記支持バンド１０による上記被介護者４０への規制作用は何等働いておらず、該被介護者４０の動きは自由である。
【００４５】
Ｂ−４：介助装置Ｚの使用状態（図８〜図１０参照）
上記介助装置Ｚの使用状態とは、該介助装置Ｚによって被介護者４０の腰部４２を支持し、その臀部４３を上記ベッド２０の上面、即ち、上記マットレス２３の上面から適宜寸法だけ浮上させて、該臀部４３におむつの交換及びこれに付随する洗浄等の排泄処理作業を行うことができる状態である。
【００４６】
上記介助装置Ｚの使用状態においては、上記ベッド２０の昇降台２２を、図５に示す高位設定位置から、図８に示す低位設定位置まで降下させる。この昇降台２２の降下に伴って、上記介助装置Ｚ側の上記支持バンド１０と上記マットレス２３の上面との上下方向間隔が拡大する。この場合、被介護者４０の背中部４１とか下肢４４は上記マットレス２３上に載置されたまま該マットレス２３の降下と共に降下するが、腰部４２部分は上記支持バンド１０に支持されているためその高さが維持される。この結果、図９及び図１０に示すように、上記ベッド２０側から見れば、被介護者４０の腰部４２部分のみが上記マットレス２３から上方へ持ち上げられた状態となり、これによって被介護者４０の臀部４３が上記マットレス２３の上面から浮上することになる。
【００４７】
従って、臀部４３が上記マットレス２３から浮上していることで、おむつの交換とか洗浄等の排泄処理作業を、介護者が被介護者４０の下肢４４等を持ち上げたりすることもなく、容易に行うことができる。
【００４８】
Ｂ−５：その他の作用効果等
以上のように、この実施形態の介助装置Ｚにおいては、上記支持バンド１０を被介護者４０の腰部４２近傍に敷き込んだ状態で該支持バンド１０と上記ベッド２０の上下方向の相対間隔を拡大させることで該支持バンド１０によって被介護者４０の腰部４２近傍を支持して臀部４３を上記ベッド２０の上面から浮上させるものであることから、被介護者４０の臀部４３は、その腰部４２の持ち上げに伴って極自然な体勢でベッド２０から浮上され、例えば、従来のように被介護者の膝裏を支持して下肢を持ち上げることでその臀部を浮上させる構成に比して、被介護者４０に与える身体的負担が少なく、より安静な状態でのおむつ交換等の排泄処理作業が可能となる。
【００４９】
また、上記支持バンド１０によって被介護者４０の腰部４２近傍を支持するものであって、被介護者４０自身の意思及び力で下肢４４を屈曲させて保持する必要が全くなく、例えば、下肢の筋肉の衰えた被介護者４０であっても、これに何等の影響を受けることなく、被介護者４０の臀部４３が浮上されることから、被介護者４０に殆ど身体的負担を掛けることなく且つ安定した臀部浮上状態の下で、おむつ交換とかこれに付随する洗浄等の排泄処理作業を行うことができる。
【００５０】
さらに、上記ベッド２０が昇降機能を備えており、該ベッド２０の降下動作に伴って被介護者４０の臀部４３が上記ベッド２０から浮上されること、換言すれば、被介護者４０の臀部４３の浮上作用が上記ベッド２０側に備えられた機能の活用によって実現されるため、上記介助装置Ｚ側に格別の駆動機構を備える必要がなく、それだけ介助装置Ｚの構造の簡略化及び低コスト化が図れる。また、軽量化が図れることで、特に介助装置Ｚをレンタルする場合においては、その可搬性が高く、延いては商品価値の向上が期待できる。
【００５１】
Ｃ：その他の構成
Ｃ−１：上記実施形態においては、上記介助装置Ｚが、昇降式のベッド２０に装着されるものとしてその一例を示したが、本願発明は係る構成に限定されるものではなく、例えば、請求項３に記載のように、上記一対の支柱１、１を伸縮機能が備えられた構成とし、該一対の支柱１、１の伸長動作に伴って被介護者４０の臀部４３が寝床から浮上されるように構成することもでき、係る場合には、寝床が昇降機能を備えないベッドとか、畳床に直敷きされた布団であっても何等問題なく適用できるものである。
【００５２】
Ｃ−２：また、上記実施形態では、単に昇降機能をもつベッド２０を対象として説明したが、本願発明は係る構成に限定されるものではなく、例えば、昇降機能とともに折曲機能を備えたベッドにも適用できるものである。
【図面の簡単な説明】
【００５３】
【図１】本願発明に係る排泄処理用介助装置の全体斜視図である。
【図２】図１に示す介助装置を昇降ベッドに装着した状態での待機状態を示す斜視図である。
【図３】待機状態における側面図である。
【図４】図３のＩＶ−ＩＶ断面図である。
【図５】図１に示す介助装置を昇降ベッドに装着した状態での準備状態を示す斜視図である。
【図６】準備状態における側面図である。
【図７】図７のＶＩＩ−ＶＩＩ断面図である。
【図８】図１に示す介助装置を昇降ベッドに装着した状態での使用状態を示す斜視図である。
【図９】使用状態における側面図である。
【図１０】図９のＸ−Ｘ断面図である。
【符号の説明】
【００５４】
１    ・・支柱
２    ・・移動台
３    ・・連結材
４    ・・アーム
５    ・・枢支軸
６    ・・支持ブラケット
７    ・・固定ボルト
８    ・・貼結テープ
９    ・・貼結テープ
１０    ・・支持バンド
１０ａ  ・・本体部
１０ｂ  ・・張設部
２０    ・・ベッド
２１    ・・基台
２２    ・・昇降台
２３    ・・マットレス
２４    ・・脚
２５    ・・側縁材
２６    ・・前端板
２７    ・・後端板
３０    ・・昇降機構
４０    ・・被介護者
４１    ・・背中部
４２    ・・腰部
４３    ・・臀部
４４    ・・下肢
Ｕ    ・・支柱ユニット
Ｚ    ・・介助装置
【図１】
2009136358.tif 000003
【図２】
2009136358.tif 000004
【図３】
2009136358.tif 000005
【図４】
2009136358.tif 000006
【図５】
2009136358.tif 000007
【図６】
2009136358.tif 000008
【図７】
2009136358.tif 000009
【図８】
2009136358.tif 000010
【図９】
2009136358.tif 000011
【図１０】
2009136358.tif 000012